(57)【要約】【課題】  空気給排気装置から空気が給排されるようエアホースと接続する立体形成された膨縮袋の給排口部内周面にひけ部が生じたり、劣化して変形したりした場合にでも、給排口部と該給排口部に挿入される挿入接続部との間からの空気漏れが生じないようにした膨縮袋の空気漏れ防止構造を有するエアマッサージ機を提供する。【解決手段】  膨縮袋２ａに空気を通気させる給排口部２２ａとエアホース３ａの間にこの終始端に挿入接続部４１ａを備えた接続部材４ａを介設し、該接続部材４ａの挿入接続部４１ａと膨縮袋２ａの給排気口部２２ａとを連結すると共にその連結部６ａの外周を締結部材５ａと該締結部材５ａを固定保持する係止部５２ａとで接続保持された空気漏れ防止構造を有するエアマッサージ機である。【選択図】  図９
2007306968.tif 000002
【特許請求の範囲】
【請求項１】
マッサージ機本体に、空気の給排気を行う空気給排装置と、該空気給排装置からの給排気により膨縮動作を行い得る膨縮袋と、該膨縮袋と前記空気給排装置との間に介設されて空気の通気路とするエアホースとを有し、これら空気給排装置とエアホース及び膨縮袋を適所に配置して被施療部位に膨縮袋による施療を行い得るようにしたエアマッサージ機であって、該エアマッサージ機は、前記膨縮袋に空気を通気させる給排口部とエアホースの間にこの終始端に挿入接続部を備えた接続部材を介設し、該接続部材の挿入接続部と膨縮袋の給排気口部とを連結すると共にその連結部の外周を締結部材と該締結部材を固定保持する係止部とで接続保持された空気漏れ防止構造を有する事を特徴とするエアマッサージ機。
【請求項２】
前記挿入接続部の周部に軟質輪部材を周嵌させた事を特徴とする請求項１記載のエアマッサージ機。
【請求項３】
前記空気漏れ防止構造は、締結部材を筒状に形成すると共にその内径を給排口部の長さ方向に移動可能な断面視テーパ状の係止部を形成した空気漏れ防止構造である事を特徴とする請求項１又は請求項２記載のエアマッサージ機。
【請求項４】
前記空気漏れ防止構造は、締結部材を帯状に形成したものであり、その基端側に環状の係止部が設けて有ると共に、至端側にはその長さ方向に沿って複数の突起部が設けられており、基端側の係止部に至端側の突起部が係止する空気漏れ防止構造である事を特徴とする請求項１又は請求項２記載のエアマッサージ機。
【請求項５】
前記空気漏れ防止構造は、締結部材の係止位置と、給排口部の内周面に生じた形成上のひけ部位置とが対応しないように係止する空気漏れ防止構造である事を特徴とする請求項１又は請求項２又は請求項４記載のエアマッサージ機。
【請求項６】
前記空気漏れ防止構造は、２以上の締結部材と各締結部材を固定保持する２以上の係止部とを有するものであり、各係止部は給排口部の外周で互いに対向する位置に配備された空気漏れ防止構造である事を特徴とする請求項１又は請求項２又は請求項４又は請求項５記載のエアマッサージ機。
【発明の詳細な説明】
【技術分野】
【０００１】
本発明は、マッサージ機に使用される膨縮袋に係り、空気給排気装置から空気が給排されるようエアホースと接続する膨縮袋の空気漏れ防止構造を有するエアマッサージ機に関するものである。
【背景技術】
【０００２】
従来より、この種のマッサージ機は、エアコンプレッサや空気分配器を備えた空気給排気装置からの空気の給排気により袋状の膨縮袋が膨張・収縮するように構成されており、この膨縮袋が、使用者の施療部位で膨張・収縮を繰り返す事によって該施療部位に対する押圧マッサージを行わせる事ができるようにしている。
【０００３】
ところで、この膨縮袋は、製作の容易性や優れた耐久性を有する理由から、ブロー成形等により立体形成された膨縮袋がよく使用されるようになり、例えば、図１７に開示されたようなものが主流になっている。
【０００４】
すなわち、図１７のものは、略々長方形のセル本体２０が立体形成された膨縮袋であり、その表側２１の袋地は屈曲されて中心から外側に向かって時計回りの渦巻状の凹凸２１Ａが形成されており、このような凹凸２１Ａを形成する事により膨縮袋の表側２１の膨張度を高める事ができるようにしている。
【０００５】
また、前記セル本体２０の一端には口部２２が形成されており、該口部２２から空気の給排気を行うようにしている。
【特許文献１】特開２００４−８２４２号公報（第５頁、図２）
【発明の開示】
【発明が解決しようとする課題】
【０００６】
ところで、前記のようなブロー成形などにより立体形成された成形部品は、成形上その内面形状の設計寸法精度が外面形状よりも低くなり、更にはその内面に成形型のパーティングライン付近にひけ部が発生するという特有の問題がある。
【０００７】
すなわち、このような成形よって製作された膨縮袋は、空気を内部に給排気する給排口部２２（口部）の内周面において、図１８に示すようなひけ部２２１が生じてしまい、図１９に示すように、エアホース３の先端に接続する接続部材４の挿入接続部４１を、膨縮袋２の給排口部２２の内部に挿入して接続した場合、給排口部２２に挿入した挿入接続部４１の断面は図２０に示したような塞がらない態様となり、ひけ部２２１による隙間が生じたままであり、この隙間から膨縮袋２の内部空気が徐々に漏れてしまうという問題があった。
【０００８】
また、前記給排口部２２は、膨縮袋２の膨縮動作を長年に亘り繰り返すうちに劣化して変形し、これによって空気漏れが更に悪化するという問題も懸念されている。
【０００９】
そこで、本発明は、上記問題点を解消する為に成されたものであり、立体形成された膨縮袋の給排口部内周面にひけ部が生じたり、劣化して変形したりした場合にでも、給排口部と該給排口部に挿入される挿入接続部との間からの空気漏れが生じないようにした膨縮袋の空気漏れ防止構造を有するエアマッサージ機を提供する事を目的とするものである。
【課題を解決するための手段】
【００１０】
すなわち、本発明のエアマッサージ機は、マッサージ機本体に、空気の給排気を行う空気給排装置と、該空気給排装置からの給排気により膨縮動作を行い得る膨縮袋と、該膨縮袋と前記空気給排装置との間に介設されて空気の通気路とするエアホースとを有し、これら空気給排装置とエアホース及び膨縮袋を適所に配置して被施療部位に膨縮袋による施療を行い得るようにしたエアマッサージ機であって、該エアマッサージ機は、前記膨縮袋に空気を通気させる給排口部とエアホースの間にこの終始端に挿入接続部を備えた接続部材を介設し、該接続部材の挿入接続部と膨縮袋の給排気口部とを連結すると共にその連結部の外周を締結部材と該締結部材を固定保持する係止部とで接続保持された空気漏れ防止構造を有する事を特徴とする構成のものである。
【００１１】
また、本発明のエアマッサージ機は、前記挿入接続部の周部に軟質輪部材を周嵌させた事を特徴とする構成のものである。
【００１２】
また、本発明のエアマッサージ機は、これに使用される空気漏れ防止構造を、締結部材を筒状に形成すると共にその内径を給排口部の長さ方向に移動可能な断面視テーパ状の係止部を形成した空気漏れ防止構造にした事を特徴とする構成のものである。
【００１３】
更に、本発明のエアマッサージ機は、これに使用される空気漏れ防止構造を、締結部材を帯状に形成したものであり、その基端側に環状の係止部が設けて有ると共に、至端側にはその長さ方向に沿って複数の突起部が設けられており、基端側の係止部に至端側の突起部が係止する空気漏れ防止構造にした事を特徴とする構成のものである。
【００１４】
更にまた、本発明のエアマッサージ機は、これに使用される空気漏れ防止構造を、締結部材の係止位置と、給排口部の内周面に生じた形成上のひけ部位置とが対応しないように係止する空気漏れ防止構造にした事を特徴とする構成のものである。
【００１５】
更に、本発明のエアマッサージ機は、これに使用される空気漏れ防止構造を、２以上の締結部材と各締結部材を固定保持する２以上の係止部とを有するものであり、各係止部は給排口部の外周で互いに対向する位置に配備された空気漏れ防止構造にした事を特徴とする構成のものである。
【発明の効果】
【００１６】
よって、本発明のエアマッサージ機は、マッサージ機本体に、空気の給排気を行う空気給排装置と、該空気給排装置からの給排気により膨縮動作を行い得る膨縮袋と、該膨縮袋と前記空気給排装置との間に介設されて空気の通気路とするエアホースとを有し、これら空気給排装置とエアホース及び膨縮袋を適所に配置して被施療部位に膨縮袋による施療を行い得るようにしたエアマッサージ機であって、前記膨縮袋に空気を通気させる給排口部とエアホースの間にこの終始端に挿入接続部を備えた接続部材を介設し、該接続部材の挿入接続部と膨縮袋の給排気口部とを連結すると共にその連結部の外周を締結部材と該締結部材を固定保持する係止部とで接続保持された空気漏れ防止構造を有する構成のものであるため、前記締結部材により前記給排口部の内周面において成形上生じるひけ部の空気漏れを極力防止する事ができ、時の経過と共に前記給排口部の劣化による変形やひけ部における隙間の再発などによる空気漏れが生じるようになっても、前記締結部材の締め付け力をより強くなるよう前記係止部における係止力を調節して容易に防止する事ができる。
【００１７】
また、本発明のエアマッサージ機は、前記挿入接続部の周部に軟質輪部材を周嵌させた事を特徴とするものであるため、該軟質輪部材がひけ部の隙間に柔軟に入り込んで該ひけ部を閉塞する事ができる。
【００１８】
また、本発明のエアマッサージ機は、これに使用される空気漏れ防止構造を、締結部材を筒状に形成すると共にその内径を給排口部の長さ方向に移動可能な断面視テーパ状の係止部を形成した空気漏れ防止構造にした構成のものであるため、前記給排口部において前記締結部材を移動させるだけで、前記給排口部に対する前記係止部の係止力を徐々に強められ、容易に前記給排口部の外周を締め付ける事ができる。
【００１９】
また、本発明のエアマッサージ機は、これに使用される空気漏れ防止構造を、締結部材を帯状に形成したものであり、その基端側に環状の係止部が設けて有ると共に、至端側にはその長さ方向に沿って複数の突起部が設けられており、基端側の係止部に至端側の突起部が係止する空気漏れ防止構造にした構成のものであるため、前記突起部により前記係止部における係止を確実に行う事ができる。
【００２０】
更に、本発明のエアマッサージ機は、これに使用される空気漏れ防止構造を、締結部材の係止位置と、給排口部の内周面に生じた形成上のひけ部位置とが対応しないように係止する空気漏れ防止構造にした構成のものであるため、閉塞しようとするひけ部位置が前記帯状の締結部材の係止位置となる場合、該ひけ部を効果的に閉塞する事はできないが、開口したままであるが、該ひけ部に対する締結部材の係止位置がずれている場合は効果的に閉塞できる。
【００２１】
更にまた、本発明のエアマッサージ機は、これに使用される空気漏れ防止構造を、２以上の締結部材と各締結部材を固定保持する２以上の係止部とを有するものであり、各係止部は給排口部の外周で互いに対向する位置に配備された空気漏れ防止構造にした構成のものであるため、前記締結部材を複数用いる事により複数の前記各ひけ部に夫々対応して、より確実に閉塞する事ができる。
【発明を実施するための最良の形態】
【００２２】
以下に、本発明のエアマッサージ機を、図面に示す一実施形態に基づきこれを詳細に説明する。
図１は本発明のエアマッサージ機の一実施形態を示す斜視図であり、図２は本発明のエアマッサージ機の一実施形態を示す使用状態図であり、図３は本発明のエアマッサージ機に設ける膨縮袋の一実施形態を示す斜視図であり、図４は本発明のエアマッサージ機に設ける膨縮袋と接続部材とエアホースの取り付け方の一実施形態を示す説明図であり、図５及び図６は本発明のエアマッサージ機に設ける膨縮袋の給排口部に挿入接続した接続部材の一実施形態を示す説明図であり、図７乃至図９は本発明のエアマッサージ機の膨縮袋に設けた移動する締結部材の一実施形態を示す説明図であり、図１０乃至図１２は本発明のエアマッサージ機の膨縮袋に設けた帯状の締結部材の一実施形態を示す説明図であり、図１３は本発明のエアマッサージ機に設けた膨縮袋の接続部材が接続された給排口部の一実施形態を示す断面図であり、図１４乃至図１６は本発明のエアマッサージ機に設けた膨縮袋の締結部材が取り付けられた給排口部の一実施形態を示す断面図であり、図１７乃至図２０は従来技術を示す参考図である。
【００２３】
すなわち、本発明のエアマッサージ機は、図１及び図２の実施形態で示したように、空気の給排気を行う空気給排装置１１ａと、該空気給排装置１１ａからの給排気により膨縮動作を行い得る膨縮袋２ａと、該膨縮袋２ａと前記空気給排装置１１ａとの間に介設されて空気の通気路とするエアホース３ａとを有し、これら空気給排装置１１ａとエアホース３ａ及び膨縮袋２ａを適所に配置して被施療部位に膨縮袋による施療を行い得るようにしたマッサージ機１ａである。
【００２４】
前記空気給排装置１１ａはエアコンプレッサや空気分配器などから構成し、図１に示すようにマッサージ機１ａの内部に内装している。
【００２５】
図３の実施形態で示すように、前記膨縮袋２ａは空気の給排気により膨縮動作を行う膨縮部２１ａと、膨縮袋２ａの一側に設けられ、膨縮部２１ａに空気を通気させる口部となるパイプ状の給排口部２２ａとを設けている。
【００２６】
また、図４に示すように、前記給排口部２２ａと前記エアホース３ａの間にこの終始端に挿入接続部４１ａを備えた接続部材４ａを介設しており、該接続部材４ａの挿入接続部４１ａと膨縮袋２ａの給排気口部２２ａとを連結して連結部６ａを構成している。
【００２７】
前記給排口部２２ａに接続部材４ａを介して前記空気給排装置１１ａと連通するエアホース３ａを連通連結するよう構成する事により、膨縮袋２ａは、空気給排装置１１ａから繰り返し給排される空気により連続膨縮したり、或いは、一定の期間膨張を保持し、その後空気を内部から排出したりする事が可能となる。
【００２８】
このように、前記膨縮袋２ａは膨縮を繰り返す動作を行うものとして、その材質に関し柔軟性及び耐久性が要求されるが、その特性に適した材質であれば種類を問わない。例えば、その膨縮袋２ａの材料としては、超低密度ポリエチレン等のような柔軟性及び耐久性を有し、成形し易い軟質樹脂が適している。尚、膨縮袋２ａの給排口部２２ａも、前記膨縮部２１ａと同質のものを使用して一体的に成形する事ができる。
【００２９】
前記接続部材４ａの前記給排口部２２ａ及び前記エアホース３ａとの接続は、接続部材４ａの両端に形成するパイプ状の前記挿入接続部４１ａ・４１ａを夫々の口部に挿入する事によってなされる。尚、エアホース３ａの先端に接続部材４ａが一体的に形成されていてもよい。
【００３０】
前記挿入接続部４１ａは、夫々の口部から容易に離脱しないよう、その先端に他よりも環状に外径を大きくした環状突起部４１１ａを形成している。
【００３１】
また、前記環状突起部４１１ａは、図４に示すようにその先端から徐々に外径を大きくした側面視台形状としており、前記給排口部２２ａに挿入し易くなっている。
【００３２】
しかしながら、前記給排口部２２ａに前記環状突起部４１１ａを形成した挿入接続部４１ａを接続しただけでは、図１３に示すように、給排口部２２ａの内周面に形成されるひけ部２２１ａによる微少な空気漏れが発生してしまうのだが、図５及び図６に示す一形態のように、前記挿入接続部４１ａの周部に軟質の軟質輪部材４１２ａを周嵌させてその問題を解決するようにしている。つまり、該軟質輪部材４１２ａはひけ部２２１ａの隙間に柔軟に入り込んで閉塞する事ができるのである。
【００３３】
図５に示すのは、前記挿入接続部４１ａの周部に前記軟質輪部材４１２ａを周嵌させた例であり、図６は、挿入接続部４１ａの先端から環状突起部４１１ａを過ぎた部分に軟質輪部材４１２ａを設けたものである。
【００３４】
尚、前記軟質輪部材４１２ａは、軟質で無通気であれば材料は問わず、例えば軟質ゴムで成形してもよい。
【００３５】
図７乃至図９に示すのは、前記接続部材４ａの前記挿入接続部４１ａと前記膨縮袋２ａの前記給排口部２２ａとを連結する前記連結部６ａの外周を、締結部材５ａと該締結部材５ａを固定保持する係止部５２ａとで接続保持してなる一実施形態の空気漏れ防止構造である。
【００３６】
すなわち、前記締結部材５ａにより前記挿入接続部４１ａが挿入された前記給排口部２２ａの外周を締め付ける事により、給排口部２２ａの前記ひけ部２２１ａを閉塞する形態であり、また、給排口部２２ａの挿入接続部４１ａに対する締め付け力を任意に大ならしめる事が可能な構成である。
【００３７】
前記締結部材５ａは、筒状に形成すると共にその内径を前記給排口部２２ａの長さ方向に移動可能な断面視テーパ状の係止部５２ａを形成したものであり、該係止部５２ａは給排口部２２ａの挿入接続部４１ａに対する締め付け力を大ならしめ、また保持するものとなる。
【００３８】
それで、前記給排口部２２ａに前記締結部材５ａを移動可能に設けた状態で、該給排口部２２ａに前記接続部材４ａの挿入接続部４１ａが挿入されると、該挿入接続部４１の外周に形成した前記環状突起部４１１ａが、軟質な給排口部２２ａを外周方へ押す事になり、その結果、環状突起部４１１ａの周上に位置する給排口部２２ａの周部の径が若干大きくなるのだが、その給排口部２２ａの大きくなる部分が被さるよう締結部材５ａを移動させる。この時、前記締結部材５ａの内面に形成する係止部５２ａの至端側では摩擦抵抗が少なく、基端側になるほど摩擦抵抗が大きくなる。
【００３９】
よって、前記締結部材５ａを前記給排口部２２ａの大きくなる部分に向かって移動させるほど、給排口部２２ａに対する係止部５２ａの摩擦抵抗は高まりつつ摺動し、該係止部５２ａはついに給排口部２２ａの大きくなる部分の外周面を外から内にかけて強く押圧する事になり、係止部５２ａの係止力によって図９に示す状態で給排口部２２ａのひけ部２２１ａ・２２１ａは閉塞される事になる。
【００４０】
通常、前記締結部材５ａを前記給排口部２２ａに締め付けた状態で使用すると、前記膨縮袋２ａの膨縮動作により給排口部２２ａ付近にもその動作が伝わり、膨縮袋２ａを覆っている前記マッサージ機１ａの外装カバーや膨縮袋２ａを取り付けている周部部品などに前記給排口部２２ａが擦れたり、或いは、そのような状況で長期間使用するならば、給排口部２２ａの材質劣化を招くとも考えられるため、閉塞していた前記ひけ部２２１ａが隙間を生じさせて空気漏れを誘発してしまう可能性があるが、前述した図７乃至図９に示す形態は、給排口部２２ａの挿入接続部４１ａに対する締め付け力を任意に大ならしめる事が可能な構成である。
【００４１】
すなわち、前述したように前記締結部材５ａの内径において断面視テーパ状の前記係止部５２ａを形成しているので、閉塞していた前記ひけ部２２１ａの隙間が再発したとしても、前記締結部材５ａをさらに移動させて、係止部５２ａの給排口部２２ａに対する係止力をさらに強める事によりその問題の解決を図る事ができるのである。
【００４２】
尚、前記係止部５２ａはその基端を前記膨縮部２１ａ側とし、至端を前記接続部材４ａ側としたが、これに限らず、それらの基端と至端を逆にすると共に、前記給排口部２２ａに対する前記締結部材５ａの移動も前述した方向とは逆の方向へ行う事で、前記給排口部２２ａの外周を締め付けるようにする事もできる。
【００４３】
図１０乃至図１２に示す形態の締結部材５ａは、帯状に形成したものであり、その基端側に環状の係止部５２ａが設けて有ると共に、至端側にはその長さ方向に沿って複数の突起部５１ａが設けられており、基端側の係止部５２ａに至端側の突起部５１ａが係止する空気漏れ防止構造にしたものである。
【００４４】
それで、前記締結部材５ａの前記係止部５２ａの環中に至端側を貫通させると共にその至端側を引っ張るようにし、前記給排口部２２ａにおける締め付けが給排口部２２ａ内周面に形成する前記ひけ部２２１ａが閉塞するよう十分になされるところで、係止部５２ａに対する突起部５１ａの係止が可能となるようにする。
【００４５】
このようにして、前記係止部５２ａは前記給排口部２２ａの前記挿入接続部４１ａに対する締め付け力を保持するものとなると共に、上記のような構成のため締結部材５ａによりその締め付け力を任意に大ならしめる事が可能であるので、前述したような前記給排口部２２ａの材質劣化によるひけ部２２１ａの空気漏れの問題に対して対応する事ができるのである。
【００４６】
尚、前記給排口部２２ａにおける前記締結部材５ａの締め付けは、図１１及び図１２に示すように、給排口部２２ａに挿入された前記接続部材４ａの前記環状突起部４１１ａの後方のくびれた部分にあたる位置で行うようにするならば、給排口部２２ａから接続部材４ａが不意に離脱しないよう確実に固定する事ができる。
【００４７】
図１０乃至図１２に示した一実施形態では、前記締結部材５ａを複数使用したものであり、少なくとも締結部材５ａは前記給排口部２２ａの長さ方向において前後に位置するよう構成している。
【００４８】
また、前記締結部材５ａの係止位置と、該締結部材５ａにより閉塞する前記給排口部２２ａの内周面に生じた形成上の前記ひけ部２２１ａの位置とが対応しないように係止している。
【００４９】
すなわち、前記ひけ部２２１ａの一つに対し、前記締結部材５ａを一つ用いるようにしており、一ひけ部２２１ａが位置する前記給排口部２２ａの外周位置に前記係止部５２ａが位置しないような仕方で、給排口部２２ａに締結部材５ａを取り付ける。
【００５０】
それで、図１３に示す前記給排口部２２ａに対し前記挿入接続部４１ａを接続した状態から、図１４に示すように、給排口部２２ａの右側内面にある一つのひけ部２２１ａを閉塞するために一つの前記締結部材５ａを、該ひけ部２２１ａが位置する前記給排口部２２ａの外周位置に前記係止部５２ａが位置しないように、給排口部２２ａに締め付ける。
【００５１】
この図１４の形態は、前記給排口部２２ａの右側内面にある前記ひけ部２２１ａと１８０度反対側である左側の給排口部２２ａの外周位置に、締結部材５ａの係止部５２ａがくるようにしたものである。
【００５２】
仮に、前記ひけ部２２１ａが位置する前記給排口部２２ａの外周位置に前記係止部５２ａが位置すれば、図１４に示すような、給排口部２２ａの左側内面にあるひけ部２２１ａは開口する状態となる。よって、一ひけ部２２１ａを閉塞するためには、該一ひけ部２２１ａが位置する前記給排口部２２ａの外周位置に前記係止部５２ａが位置しないようにしなければならない。
【００５３】
次に、図１５に示すように、もう一つの前記締結部材５ａを使用して、前記給排口部２２ａの左側内面にあるもう一つのひけ部２２１ａを閉塞する。図１４の場合と同様、該ひけ部２２１ａが位置する前記給排口部２２ａの外周位置に前記係止部５２ａが位置しないようにして、締結部材５ａの締め付けを行う。図１５の形態は、給排口部２２ａの左側内面にあったひけ部２２１ａと１８０度反対側である右側の給排口部２２ａの外周位置に、締結部材５ａの係止部５２ａがくるようにしたものである。
【００５４】
よって、二つの前記締結部材５ａで締め付ける上記のような形態は、図１５に示すように各係止部５２ａが給排口部２２ａの外周上互いに対向する１８０度離れた位置に夫々くるものとなる。すなわち、各係止部５２ａが給排口部２２ａの外周で互いに対向する位置に配備された形態であり、各前記ひけ部２２１ａを効果的に閉塞する事ができる。
【００５５】
尚、必ずしも前記ひけ部２２１ａと１８０度反対側である前記給排口部２２ａの外周位置に、前記締結部材５ａの前記係止部５２ａがくる必要はなく、一ひけ部２２１ａに対応する一締結部材５ａの係止部５２ａが、該ひけ部２２１ａが位置する給排口部２２ａの外周位置に位置しなければどの位置でもよい。例えば、図１６に示すのは、各締結部材５ａの各係止部５２ａが給排口部２２ａの外周上互いに９０度離れた位置に夫々くるようにしたものである。
【００５６】
前記で説明した締結部材５ａは、前記給排口部２２ａと前記接続部材４ａとの接続で使用するものを例にしたが、これに限らず前記接続部材４ａと前記エアホース３ａとの接続においても適用する事ができるものである。
【図面の簡単な説明】
【００５７】
【図１】本発明のエアマッサージ機の一実施形態を示す斜視図である。
【図２】本発明のエアマッサージ機の一実施形態を示す使用状態図である。
【図３】本発明のエアマッサージ機に設ける膨縮袋の一実施形態を示す斜視図である。
【図４】本発明のエアマッサージ機に設ける膨縮袋と接続部材とエアホースの取り付け方の一実施形態を示す説明図である。
【図５】本発明のエアマッサージ機に設ける膨縮袋の給排口部に挿入接続した接続部材の一実施形態を示す説明図である。
【図６】本発明のエアマッサージ機に設ける膨縮袋の給排口部に挿入接続した接続部材の一実施形態を示す説明図である。
【図７】本発明のエアマッサージ機の膨縮袋に設けた移動する締結部材の一実施形態を示す説明図である。
【図８】本発明のエアマッサージ機の膨縮袋に設けた移動する締結部材の一実施形態を示す説明図である。
【図９】本発明のエアマッサージ機の膨縮袋に設けた移動する締結部材の一実施形態を示す説明図である。
【図１０】本発明のエアマッサージ機の膨縮袋に設けた帯状の締結部材の一実施形態を示す説明図である。
【図１１】本発明のエアマッサージ機の膨縮袋に設けた帯状の締結部材の一実施形態を示す説明図である。
【図１２】本発明のエアマッサージ機の膨縮袋に設けた帯状の締結部材の一実施形態を示す説明図である。
【図１３】本発明のエアマッサージ機に設けた膨縮袋の接続部材が接続された給排口部の一実施形態を示す断面図である。
【図１４】本発明のエアマッサージ機に設けた膨縮袋の締結部材が取り付けられた給排口部の一実施形態を示す断面図である。
【図１５】本発明のエアマッサージ機に設けた膨縮袋の締結部材が取り付けられた給排口部の一実施形態を示す断面図である。
【図１６】本発明のエアマッサージ機に設けた膨縮袋の締結部材が取り付けられた給排口部の一実施形態を示す断面図である。
【図１７】従来技術を示す参考図である。
【図１８】従来技術を示す参考図である。
【図１９】従来技術を示す参考図である。
【図２０】従来技術を示す参考図である。
【符号の説明】
【００５８】
１ａ  マッサージ機
１１ａ  空気給排装置
２ａ  膨縮袋
２１ａ  膨縮部
２２ａ  給排口部
２２１ａ  ひけ部
３ａ  エアホース
４ａ  接続部材
４１ａ  挿入接続部
４１１ａ  環状突起部
４１２ａ  軟質輪部材
５ａ  締結部材
５１ａ  突起部
５２ａ  係止部
６ａ  連結部
【図１】
2007306968.tif 000003
【図２】
2007306968.tif 000004
【図３】
2007306968.tif 000005
【図４】
2007306968.tif 000006
【図５】
2007306968.tif 000007
【図６】
2007306968.tif 000008
【図７】
2007306968.tif 000009
【図８】
2007306968.tif 000010
【図９】
2007306968.tif 000011
【図１０】
2007306968.tif 000012
【図１１】
2007306968.tif 000013
【図１２】
2007306968.tif 000014
【図１３】
2007306968.tif 000015
【図１４】
2007306968.tif 000016
【図１５】
2007306968.tif 000017
【図１６】
2007306968.tif 000018
【図１７】
2007306968.tif 000019
【図１８】
2007306968.tif 000020
【図１９】
2007306968.tif 000021
【図２０】
2007306968.tif 000022